(57)【要約】【課題】  無線通信システムでの負荷調節方法及びシステムを提供する。【解決手段】  ｉ）無線近距離通信網を形成するアクセスノードと複数の端末との間で複数のチャンネルを経由して無線でデータを通信する段階、ｉｉ）アクセスノードで、複数のチャンネルのうち過負荷がかかったチャンネルを決定する段階、及びｉｉｉ）アクセスノードで、過負荷がかかったチャンネルから複数のチャンネルのうち負荷がさらに少なくかかったチャンネルに負荷を伝達する段階を含む。ネットワークシステムでの負荷調節を提供することによって、パケットの遅延や損失を防止でき、アクセスポイントが負荷調節の地域サーバまたは中央サーバの役割を行わせることによって、無線スイッチや外部サーバのような追加的なハードウェア装置、または付加的なソフトウェアを必要とせずともネットワークの性能を向上させうる。【選択図】  図５
2005278186.tif 000002
【特許請求の範囲】
【請求項１】
アクセスノードを含む地上波無線通信システムでの負荷調節方法において、
無線近距離通信網を形成するアクセスノードと複数の端末との間で、複数のチャンネルを経由して無線でデータを通信する段階と、
前記アクセスノードで、前記複数のチャンネルのうち過負荷がかかったチャンネルを決定する段階と、
前記アクセスノードで、前記過負荷がかかったチャンネルから前記複数のチャンネルのうち負荷がさらに少なくかかったチャンネルに負荷を伝達する段階と、を含むことを特徴とする方法。
【請求項２】
前記過負荷がかかったチャンネルを決定する段階は、
前記複数のチャンネルそれぞれに対して、各チャンネルに係留中であるパケットの数及び各チャンネルで現在使われている帯域幅のうち少なくとも一つに基づいて負荷量を計算する段階と、
前記計算された負荷量に基づいて前記複数のチャンネルのうち過負荷がかかったチャンネルを決定する段階と、
前記過負荷がかかったチャンネルから一つのリンクを選択する段階と、を含むことを特徴とする請求項１に記載の方法。
【請求項３】
前記負荷を伝達する段階は、前記選択されたリンクで要求されるサービス品質レベルが、前記負荷がさらに少なくかかったチャンネルで満足される場合にのみ行われることを特徴とする請求項２に記載の方法。
【請求項４】
前記負荷を伝達する段階は、前記過負荷がかかったチャンネルから選択したリンクを、前記負荷がさらに少なくかかったチャンネルのリンクと交換する段階を含むことを特徴とする請求項２に記載の方法。
【請求項５】
前記リンクを選択する段階は、前記過負荷がかかったチャンネルから最も負荷が少なくかかったリンクを選択する段階を含むことを特徴とする請求項２に記載の方法。
【請求項６】
前記負荷がさらに少なくかかったチャンネルでの受信信号強度指示値を決定する段階をさらに含み、
前記負荷を伝達する段階は、前記決定された受信信号強度指示値が前記選択されたリンクでの受信信号強度指示値以上であるか、または臨界受信信号強度指示値より大きい場合にのみ行われることを特徴とする請求項２に記載の方法。
【請求項７】
前記無線通信システムは、ＩＥＥＥ ８０２.１１ａ／１１ｂ／１１ｇネットワーク、無線近距離通信網、無線個人領域ネットワーク、汎用パケット無線サービスネットワーク、無線通信用広域システムネットワーク、コード分割多重接続ネットワーク、またはブルートゥースネットワークのうち一つであることを特徴とする請求項１ないし６のうち何れか１項に記載の方法。
【請求項８】
前記アクセスノードは、複数のアクセスノードを含み、それぞれのアクセスノードは、前記過負荷がかかったチャンネルを決定する段階及び前記負荷を伝達する段階を互いに独立的に行うことを特徴とする請求項１ないし６のうち何れか１項に記載の方法。
【請求項９】
アクセスポイントを含む無線通信システムでの負荷調節方法において、
前記アクセスポイントと複数の端末との間に複数のチャンネルを提供して前記アクセスポイントが前記複数のチャンネルを通じて前記複数の端末とのデータ通信を可能にする段階と、
それぞれのチャンネルに係留中であるパケットの数及びそれぞれのチャンネルで現在使われている帯域幅のうち少なくとも一つに基づいて、前記複数のチャンネルのうち過負荷がかかったチャンネルを決定する段階と、
前記過負荷がかかったチャンネルから一つのリンクを選択する段階と、
前記選択されたリンクで要求されるサービス品質レベル及び負荷がさらに少なくかかったチャンネルでの受信信号強度指示値のうち少なくとも一つに基づいて、前記選択されたリンクを前記複数のチャンネルのうち負荷がさらに少なくかかったチャンネルに伝達する段階と、を含むことを特徴とする方法。
【請求項１０】
アクセスポイントを含む無線通信システムでの負荷調節方法において、
前記アクセスポイントと複数の端末との間で複数のチャンネルを通じてデータを通信する段階と、
それぞれのチャンネルに係留中であるパケットの数及びそれぞれのチャンネルで現在使われている帯域幅のうち少なくとも一つに基づいて、前記複数のチャンネルそれぞれの負
荷量を計算する段階と、
前記計算された負荷量に基づいて、前記複数のチャンネルのうち過負荷がかかったチャンネルを決定する段階と、
前記過負荷がかかったチャンネルから一つのリンクを選択する段階と、
前記複数のチャンネルのうち、前記選択されたリンクが伝えられる、前記過負荷がかかったチャンネルより負荷がさらに少なくかかった新チャンネルを選択する段階と、
前記選択されたリンクで要求されるサービス品質レベル及び前記新チャンネルでの受信信号強度指示値を決定する段階と、
前記決定された受信信号強度指示値が前記選択されたリンクの受信信号強度指示値以上であるか、または所定の臨界受信信号強度指示値より大きく、前記選択されたリンクで要求されるサービス品質レベルが前記新チャンネルで満足する場合に、前記選択されたリンクを前記新チャンネルに伝達する段階と、を含むことを特徴とする方法。
【請求項１１】
アクセスポイントを含む通信システムでの負荷調節装置において、
無線近距離通信網を形成する前記アクセスポイントと複数の端末との間で複数のチャンネルを経由して無線データ通信を可能にし、前記複数のチャンネルのうち過負荷がかかったチャンネルを決定し、前記過負荷がかかったチャンネルから前記複数のチャンネルのうち負荷がさらに少なくかかったチャンネルに負荷を伝達する制御モジュールと、
負荷調節機能を行う前記制御モジュールで使われる情報を保存し、前記制御モジュールとデータを通信するメモリと、を含むことを特徴とする装置。
【請求項１２】
前記制御モジュール及び前記メモリは、前記アクセスポイント内に置かれていることを特徴とする請求項１１に記載の装置。
【請求項１３】
前記アクセスポイントは、複数チャンネル媒体接近制御方式に基づいたアクセスポイントであることを特徴とする請求項１１または１２に記載の装置。
【請求項１４】
前記制御モジュールは、それぞれのチャンネルに係留中であるパケットの数及びそれぞれのチャンネルで現在使われている帯域幅のうち少なくとも一つに基づいて複数のチャンネルそれぞれの負荷量を計算し、前記計算された負荷量に基づいて前記複数のチャンネルのうち過負荷がかかったチャンネルを決定し、前記過負荷がかかったチャンネルから一つのリンクを選択することを特徴とする請求項１１または１２に記載の装置。
【請求項１５】
前記制御モジュールは、前記選択されたリンクで要求されるサービス品質レベルが前記負荷がさらに少なくかかったチャンネルで満足する場合に負荷を伝達することを特徴とする請求項１４に記載の装置。
【請求項１６】
前記制御モジュールは、前記負荷がさらに少なくかかったチャンネルでの受信信号強度指示値を決定し、前記決定された受信信号強度指示値が前記選択されたリンクでの受信信号強度指示値以上であるか、または所定の臨界受信信号強度指示値より大きい場合に、負荷を伝達することを特徴とする請求項１４に記載の装置。
【請求項１７】
少なくとも一つのアクセスノードを含み、
前記アクセスノードそれぞれは、複数のチャンネルを採用しており、
前記アクセスノードそれぞれは、前記複数のチャンネルそれぞれに係留中であるパケットの数及び前記複数のチャンネルそれぞれで現在使用中である帯域幅のうち少なくとも一つに基づいて負荷の不均衡を決定し、過負荷がかかったチャンネルがある場合、前記過負荷がかかったチャンネルから一つのリンクを選択し、前記選択されたリンクで要求されるサービス品質レベル及び負荷がさらに少なくかかったチャンネルでの受信信号強度指示値のうち少なくとも一つに基づいて、前記選択されたリンクを前記負荷がさらに少なくかかったチャンネルに伝達することを特徴とする無線通信システムでの負荷調節システム。
【請求項１８】
アクセスノードを含む地上波無線通信システムでの負荷調節システムにおいて、
無線近距離通信網を形成するアクセスノードと複数の端末との間で、複数のチャンネルを経由してデータを無線で通信するための手段と、
前記アクセスノードで、前記複数のチャンネルのうち過負荷がかかったチャンネルを決定する決定手段と、
前記アクセスノードで、前記過負荷がかかったチャンネルでの負荷を前記複数のチャンネルのうち負荷がさらに少なくかかったチャンネルに伝達する伝達手段と、を含むことを特徴とするシステム。
【請求項１９】
前記決定手段は、
各チャンネルに係留中であるパケットの数及び各チャンネルが現在使用中である帯域幅のうち少なくとも一つに基づいて、前記複数のチャンネルそれぞれに対する負荷量を計算する負荷量計算手段と、
前記計算された負荷量に基づいて、前記複数のチャンネルのうち過負荷がかかったチャンネルを決定する手段と、
前記過負荷がかかったチャンネルから一つのリンクを選択する選択手段と、を含むことを特徴とする請求項１８に記載の無線通信システムでの負荷調節システム。
【請求項２０】
前記伝達手段は、前記選択されたリンクで要求されるサービス品質レベルが、前記負荷がさらに少なくかかったチャンネルで満足する場合、前記負荷を伝達することを特徴とする請求項１９に記載の無線通信システムでの負荷調節システム。
【請求項２１】
前記選択手段は、前記過負荷がかかったチャンネルから最も負荷が少なくかかったリンクを選択することを特徴とする請求項１９に記載の無線通信システムでの負荷調節システム。
【請求項２２】
前記負荷がさらに少なくかかったチャンネルでの受信信号強度指示値を決定する手段をさらに含み、
前記伝達手段は、前記決定された受信信号強度指示値が前記選択されたリンクでの受信信号強度指示値以上であるか、または所定の臨界受信信号強度指示値より大きい場合に、負荷を伝達することを特徴とする請求項１９に記載の無線通信システムでの負荷調節システム。
【請求項２３】
アクセスノードを含む地上波無線通信システムでの負荷調節方法を行うためのプログラムを記録したコンピュータ可読記録媒体において、
無線近距離通信網を形成するアクセスノードと複数の端末との間で、複数のチャンネルを経由して無線でデータを通信する段階と、
前記アクセスノードで、前記複数のチャンネルのうち過負荷がかかったチャンネルを決定する段階と、
前記アクセスノードで、前記過負荷がかかったチャンネルから前記複数のチャンネルのうち負荷がさらに少なくかかったチャンネルに負荷を伝達する段階と、をコンピュータで実行させるためのプログラムを記録したコンピュータ可読記録媒体。
【発明の詳細な説明】
【技術分野】
【０００１】
本発明は、データ通信システムに係り、特に、少なくとも一つのアクセスポイントを含む無線通信システムでの負荷調節方法及びシステムに関する。
【背景技術】
【０００２】
最近には、多様なコンピュータネットワークシステムが広く使われている。そのようなネットワークシステムの例としては、近距離通信網（Ｌｏｃａｌ Ａｒｅａ Ｎｅｔｗｏｒｋ：ＬＡＮ）、広域通信網（Ｗｉｄｅ Ａｒｅａ Ｎｅｔｗｏｒｋ：ＷＡＮ）、無線ＬＡＮ（Ｗｉｒｅｌｅｓｓ ＬＡＮ：ＷＬＡＮ）、無線個人領域ネットワーク（Ｗｉｒｅｌｅｓｓ Ｐｅｒｓｏｎａｌ Ａｒｅａ Ｎｅｔｗｏｒｋ：ＷＰＡＮ）、汎用パケット無線サービス（Ｇｅｎｅｒａｌ Ｐａｃｋｅｔ Ｒａｄｉｏ Ｓｅｒｖｉｃｅ：ＧＰＲＳ）ネットワーク及び他の無線ネットワークシステムのようなものがある。ネットワークシステムは、パソコン（デスクトップ、ラップトップ、パームトップ）、移動電話機、または他の携帯用通信装置のような多様な最終端末間に通信を可能にする。このようなネットワークシステムは、アクセスノードまたはアクセスポイントのように、ユーザトラフィックが通信網にイン／アウトするブリッジ装置を少なくとも一つ含むことが一般的である。
【０００３】
このようなネットワークにおいては、最終端末装置がデータを伝送する時に目的地アドレスをパケットのヘッダ部分に付着してデータをカプセル化してパケットに作る。次いで、パケットは、ネットワークに伝送される。全ての他の連結された装置は、パケットのヘッダ部分の目的地アドレスを読込むが、ヘッダで自身のアドレスを発見する場合にのみデータを含む全体パケットを読込む。パケットが全部読込まれれば、装置は、ソース装置に応答を送る。ソースアドレスもまた、パケットヘッダに含まれる。このような応答は、ソース装置にデータが成功的に受信されるか、またはデータが損傷されて再伝送が必要であるということを知らせる。
【０００４】
このようなパケット伝送は広く使われるが、これは、ネットワーク上の複数の端末が同時にデータを送ることができ、したがって、互いに連結された通信媒体を共有可能にするためである。しかし、このようなパケットの使用は、ネットワークの負荷が過度になる場合に問題がある。通信媒体が過度に停滞された場合、ネットワーク上のいくつかのアクセスポイントもトラフィックによって過負荷がかかる恐れがある。このような状況では、パケットのうち一部は、遅延されるか、または時々損失されることもある。これは、特に、高速のビットレートで作動するネットワークで顕著に現れる。したがって、ネットワークシステムでの負荷調節を提供する必要性がある。
【発明の開示】
【発明が解決しようとする課題】
【０００５】
本発明が解決しようとする技術的課題は、少なくとも一つのアクセスポイントを含む無線通信システムでの負荷調節方法及びシステムを提供することである。
【課題を解決するための手段】
【０００６】
前記課題を解決するためのアクセスノードを含む地上波無線通信システムでの負荷調節方法は、ＷＬＡＮを形成するアクセスノードと複数の端末との間で複数のチャンネルを経由して無線でデータを通信する段階と、前記アクセスノードで、前記複数のチャンネルのうち過負荷がかかったチャンネルを決定する段階と、前記アクセスノードで、前記過負荷がかかったチャンネルから前記複数のチャンネルのうち負荷がさらに少なくかかったチャンネルに負荷を伝達する段階と、を含むことが望ましい。
【０００７】
本発明の他の一実施例によるアクセスポイントを含む無線通信システムでの負荷調節方法は、前記アクセスポイントと複数の端末との間に複数のチャンネルを提供して、前記アクセスポイントが前記複数のチャンネルを通じて前記複数の端末とのデータ通信を可能にする段階と、それぞれのチャンネルに係留中であるパケットの数及びそれぞれのチャンネルで現在使われている帯域幅のうち少なくとも一つに基づいて、前記複数のチャンネルのうち過負荷がかかったチャンネルを決定する段階と、前記過負荷がかかったチャンネルから一つのリンクを選択する段階と、前記選択されたリンクで要求されるサービス品質レベル及び負荷がさらに少なくかかったチャンネルでの受信信号強度指示値のうち少なくとも一つに基づいて、前記選択されたリンクを前記複数のチャンネルのうち負荷がさらに少なくかかったチャンネルに伝達する段階と、を含むことが望ましい。
【０００８】
本発明の他の一実施例によるアクセスポイントを含む無線通信システムでの負荷調節方法は、前記アクセスポイントと複数の端末との間で複数のチャンネルを通じてデータを通信する段階と、それぞれのチャンネルに係留中であるパケットの数及びそれぞれのチャンネルで現在使われている帯域幅のうち少なくとも一つに基づいて、前記複数のチャンネルそれぞれの負荷量を計算する段階と、前記計算された負荷量に基づいて前記複数のチャンネルのうち過負荷がかかったチャンネルを決定する段階と、前記過負荷がかかったチャンネルから一つのリンクを選択する段階と、前記複数のチャンネルのうち、前記選択されたリンクが伝えられる、前記過負荷がかかったチャンネルより負荷がさらに少なくかかった新チャンネルを選択する段階と、前記選択されたリンクで要求されるサービス品質レベル及び前記新チャンネルでの受信信号強度指示値を決定する段階と、前記決定された受信信号強度指示値が前記選択されたリンクの受信信号強度指示値以上であるか、または所定の臨界受信信号強度指示値より大きく、前記選択されたリンクで要求されるサービス品質レベルが前記新チャンネルで満足する場合に、前記選択されたリンクを前記新チャンネルに伝達する段階と、を含むことが望ましい。
【０００９】
本発明の他の一態様によるアクセスポイントを含む通信システムでの負荷調節装置は、ＷＬＡＮを形成する前記アクセスポイントと複数の端末との間で複数のチャンネルを経由して無線データ通信を可能にし、前記複数のチャンネルのうち過負荷がかかったチャンネルを決定し、前記過負荷がかかったチャンネルから前記複数のチャンネルのうち負荷がさらに少なくかかったチャンネルに負荷を伝達する制御モジュールと、負荷調節機能を行う前記制御モジュールで使われる情報を保存し、前記制御モジュールとデータを通信するメモリと、を含むことが望ましい。
【００１０】
本発明の他の一実施例による無線通信システムでの負荷調節システムは、少なくとも一つのアクセスノードを含み、前記アクセスノードそれぞれは、複数のチャンネルを採用しており、前記アクセスノードそれぞれは、前記複数のチャンネルそれぞれに係留中であるパケットの数及び前記複数のチャンネルそれぞれで現在使用中である帯域幅のうち少なくとも一つに基づいて負荷の不均衡を決定し、過負荷がかかったチャンネルがある場合、前記過負荷がかかったチャンネルから一つのリンクを選択し、前記選択されたリンクで要求されるサービス品質レベル及び負荷がさらに少なくかかったチャンネルでの受信信号強度指示値のうち少なくとも一つに基づいて、前記選択されたリンクを前記負荷がさらに少なくかかったチャンネルに伝達することが望ましい。
【００１１】
本発明の他の一実施例によるアクセスノードを含む地上波無線通信システムでの負荷調節システムは、ＷＬＡＮを形成するアクセスノードと複数の端末との間で複数のチャンネルを経由してデータを無線で通信するための手段と、前記アクセスノードで、前記複数のチャンネルのうち過負荷がかかったチャンネルを決定する決定手段と、前記アクセスノードで、前記過負荷がかかったチャンネルでの負荷を、前記複数のチャンネルのうち負荷がさらに少なくかかったチャンネルに伝達する伝達手段と、を含むことが望ましい。
【発明の効果】
【００１２】
本発明による負荷調節方法及びシステムによれば、ネットワークシステムでの負荷調節を提供することによってパケットの遅延や損失を防止でき、アクセスポイントに負荷調節の地域サーバまたは中央サーバの役割を行わせることによって、無線スイッチや外部サーバのような追加的なハードウェア装置、または付加的なソフトウェアを必要とせずとも、ネットワークの性能を向上させうる。
【発明を実施するための最良の形態】
【００１３】
以下、添付された図面を参照して、本発明による無線通信システムでの負荷調節方法及びシステムを詳細に説明する。
図１は、全体システムの負荷調節を行う典型的な無線ネットワークシステム１００を示す図面である。ネットワークシステム１００は、ＩＥＥＥ ８０２.１１ａ／１１ｂ／１１ｇネットワーク、ＷＬＡＮ、ＷＰＡＮ、ＧＰＲＳネットワーク、移動通信用広域システム（Ｇｌｏｂａｌ Ｓｙｓｔｅｍ ｆｏｒ Ｍｏｂｉｌｅ Ｃｏｍｍｕｎｉｃａｔｉｏｎ：ＧＳＭ）ネットワーク、コード分割多重接続（Ｃｏｄｅ Ｄｉｖｉｓｉｏｎ Ｍｕｌｔｉｐｌｅ Ａｃｃｅｓｓ：ＣＤＭＡ）ネットワーク、ブルートゥースネットワークまたは他の無線ネットワークに具現されうる。ネットワークシステム１００は、一般的に、外部（または管理）サーバ１１０、無線スイッチ/ハブ１２０、そして複数のアクセスポイント１３０ないし１５０を含む。
【００１４】
各アクセスポイント１３０ないし１５０は、一般的に、“アクセスノード”または“無線ブリッジ”とも呼ばれるが、それぞれステーション１３２及び１３４、１４２及び１４４、１５２及び１５４とデータ通信を行う。アクセスポイント１３０ないし１５０は、無線スイッチ１２０とデータ通信を行う。アクセスポイント１３０ないし１５０は、Ａｉｒｅｓｐａｃｅ社製のＡｉｒｅｓｐａｃｅ １２００、Ｆｏｕｎｄｒｙ Ｎｅｔｗｏｒｋｓ社製のＩｒｏｎＰｏｉｎｔ、またはＥｘｔｒｅｍｅ Ｎｅｔｗｏｒｋｓ社製のＡｌｔｉｔｕｄｅ ３００及びＳｕｍｍｉｔ ３００より構成されうる。
【００１５】
無線スイッチ/ハブ１２０は、外部（または管理）サーバ１１０とデータ通信を行う。外部（または管理）サーバ１１０は、あるネットワーク設定では選択的な装備であって、システム１００を管理する管理ソフトウェアを含みうる。外部（または管理）サーバ１１０は、他のネットワークシステム（図示せず）と連結されうる。
【００１６】
各ステーション１３２，１３４，１４２，１４４，１５２，１５４は、一般的に、最終端末またはユーザ装置と呼ばれる。各ステーションは、個人用パソコン（デスクトップ、ラップトップ、パームトップ）、移動電話機、または携帯用ＰＣ、財布型ＰＣやＰＤＡ（Ｐｅｒｓｏｎａｌ Ｄｉｇｉｔａｌ Ａｓｓｉｓｔａｎｔ）のようなその他の携帯用通信装置を含みうる。各アクセスポイント１３０ないし１５０と各ステーション１３２及び１３４，１４２及び１４４，１５２及び１５４との間のデータ通信は、それぞれ一つのチャンネル（すなわち、チャンネル１、チャンネル２、及びチャンネル３）を利用して行われることが一般的である。
【００１７】
無線スイッチとアクセスポイントとを含む典型的なネットワークシステムの一般的な作動についての説明は色々な所に現れているが、例えば、アクセスポイントとして使用されうるＡｉｒｅｓｐａｃｅ １２００を生産するＡｉｒｅｓｐａｃｅ社で提供する“ｈｔｔｐ：／／ｗｗｗ.ａｉｒｅｓｐａｃｅ.ｃｏｍ／ｐｒｏｄｕｃｔｓ／ＡＳ＿４０００.ｐｈｐ”が挙げられ、これは参照を通じて本明細書に含まれる。
【００１８】
図１に示されたシステム１００は、次のように負荷調節を行う。各アクセスポイント１３０ないし１５０は、現在の負荷量についての情報を無線スイッチ１２０に送る。このような情報としては、各チャンネルに係留中であるパケットの数、要求される帯域幅（サービス品質を維持するために必要な資源）及び受信信号強度指示（Ｒｅｃｅｉｖｅｄ Ｓｉｇｎａｌ Ｓｔｒｅｎｇｔｈ Ｉｎｄｉｃａｔｉｏｎ：ＲＳＳＩ）値がある。無線スイッチ/ハブ１２０は、外部（または管理）サーバ１１０に受信した情報を伝達できる。無線スイッチ/ハブ１２０または外部（または管理）サーバ１１０は、アクセスポイント１３０ないし１５０から伝達された情報に基づいて、システム１００内でどのアクセスポイントが過負荷がかかるかを決定できる。
【００１９】
もし、チャンネル１が過負荷がかかったと決定され、他のアクセスポイント１４０または１５０で資源が余裕があれば、無線スイッチ/ハブ１２０は、過負荷がかかったアクセスポイント１３０に独占信号を送る。独占信号とは、ＩＥＥＥ ８０２.１１ａ／ｂ／ｇのような通信標準で認識されない信号を意味する。信号を受けたアクセスポイント１３０は、関連されたステーション１３２及び１３４に、他のアクセスポイント１４０または１５０に連結を転換することを要請するメッセージを伝送する。アクセスポイント１３０とステーション１３２及び１３４との間のメッセージの通信は、標準信号や独占信号のうち何れかを使用しても具現されうる。
【００２０】
図１に示されたシステム１００は、負荷調節を行うために無線スイッチ/ハブ１２０及び／または外部（または管理）サーバ１１０のような付加的なハードウェア装備を必要とする。それに加えて、システム１００は、外部（または管理）サーバ１１０管理用のソフトウェアに付加費用を要する。それだけでなく、各アクセスポイント１３０ないし１５０は、無線スイッチ/ハブ１２０に自身の負荷量を知らせるための独占信号を伝送する必要がある。
【００２１】
本発明の一態様による負荷調節システムは、無線スイッチや外部サーバのような追加ハードウェア装置、または管理ソフトウェアのような付加的なソフトウェアを要求しない。本発明の一実施例では、アクセスポイントが、過負荷がかかったチャンネルからさらに少なく負荷がかかったチャンネルに負荷を分散させるために、チャンネルの負荷量、サービス品質（Ｑｕａｌｉｔｙ ｏｆ Ｓｅｒｖｉｃｅ：ＱｏＳ）要求事項、そしてＲＳＳＩ値に基づいて、負荷調節に対して決定する地域サーバまたは中央サーバの役割を行う。
【００２２】
本発明の一実施例では、少なくとも一つのアクセスポイントを含むが、各アクセスポイントは、複数のチャンネルを採用している。各アクセスポイントは、複数のチャンネルそれぞれに係留中であるパケットの数及び秒当たりビット数で測定された各チャンネルでの現在帯域幅のうち少なくとも一つに基づいて負荷の不均衡を決定する。もし過負荷がかかったチャンネルがあれば、アクセスポイントは、過負荷がかかったチャンネルから一つのリンクを選択し、選択されたリンクで要求されるＱｏＳ及び新チャンネルのＲＳＳＩ値のうち少なくとも一つに基づいて、他のさらに少なく負荷がかかったチャンネルに選択されたリンクを伝達する。他の一実施例では、アクセスポイントがそのハードウェアの構成を変更せずとも本発明の実施例による負荷調節方法を行うようにプログラムされる。
【００２３】
図２は、本発明の一実施例による負荷調節システム２００を示す図面である。本発明の一実施例において、システム２００は、複数のアクセスポイントを含むが、それぞれのアクセスポイントは、独立的に負荷調節を行う。しかし、説明の便宜のために、図２には、ただ一つのアクセスポイント２１０のみを示した。一実施例において、アクセスポイント２１０は（図示せず）、伝統的な通信ネットワークとデータ通信を行う。本発明の一実施例において、システム２００は、ＷＬＡＮ、ＷＰＡＮ、ＧＰＲＳネットワーク、ＧＳＭネットワーク、ＣＤＭＡネットワーク、ブルートゥースネットワーク、または他の無線ネットワークに具現されるか、またはその一部として統合される。
【００２４】
本発明の一実施例において、システム２００内で及び他の通信ネットワークとのデータ通信は、ＩＥＥＥ ８０２.１１ａ／１１ｂ／１１ｇ、ＩＥＥＥ ８０２.１５.３／１５.３ａまたは他の無線通信標準を利用して行われる。ＩＥＥＥ ８０２.１１ａ／１１ｂ／１１ｇ規格の明細については、例えば、ｈｔｔｐ：／／ｓｔａｎｄａｒｄｓ.ｉｅｅｅ.ｏｒｇ／ｇｅｔｉｅｅｅ８０２／８０２.１１.ｈｔｍｌで探すことができる。ＩＥＥＥ ８０２.１５.３／１５.３ａ規格の明細については、例えば、ｈｔｔｐ：／／ｓｔａｎｄａｒｄｓ.ｉｅｅｅ.ｏｒｇ／ｇｅｔｉｅｅｅ８０２／８０２.１５.ｈｔｍｌで探すことができる。ＩＥＥＥ ８０２.１１ａ／１１ｂ／１１ｇ及びＩＥＥＥ ８０２.１５.３／１５.３ａ規格の明細は、参照を通じて本明細書に含まれる。
【００２５】
本発明の一実施例において、アクセスポイント２１０は、複数チャンネル媒体接近制御（Ｍｕｌｔｉｐｌｅ Ｃｈａｎｎｅｌ Ｍｅｄｉｕｍ Ａｃｃｅｓｓ Ｃｏｎｔｒｏｌ：ＭＣ−ＭＡＣ）基盤のアクセスポイントを含む。ＭＡＣは、ネットワークシステムに連結された装置が相互連結された媒体を共有可能にする効率的な方法である。媒体を共有できる性質によって、ＭＣ−ＭＡＣ基盤のアクセスポイントは、２つ以上の装置が同時にデータを伝送できるように許容する。一実施例において、アクセスポイント２１０は、２つ以上のチャンネルを処理できる。但し、図２では、２つのチャンネル（チャンネル１及び６）のみが示された。
【００２６】
図２を参照すれば、アクセスポイント２１０は、ステーション２２０及び２３０とチャンネル１とを通じてデータを通信する。チャンネル１は、ステーション２２０,２３０とアクセスポイント２１０とのデータ通信をそれぞれ提供するリンク１及びリンク２を含む。アクセスポイント２１０は、ステーション２４０ないし２６０とチャンネル６とを通じてデータを通信する。チャンネル６は、ステーション２４０ないし２６０とアクセスポイント２１０とのデータ通信をそれぞれ提供するリンク３ないし５を含む。本発明の一実施例において、一つのチャンネルに（図示せず）３個以上のステーションがアクセスポイント２１０及びチャンネル（図示せず）の付加されたリンクを通じてデータを通信できる。本発明の他の一実施例において、アクセスポイント２１０（図示せず）とステーションとの間にデータ通信を提供する３個以上のチャンネルがありうる。
【００２７】
一実施例において、アクセスポイント２１０は、チャンネル１とチャンネル６のうち何れかが過負荷状態であるか、それぞれのチャンネルに係留中であるパケットの数に基づいて決定する。他の一実施例において、アクセスポイント２１０は、各チャンネルに現在使われる帯域幅に基づいて、過負荷がかかったチャンネルを決定する。もし、チャンネル間に負荷量の不均衡が存在すれば、アクセスポイント２１０は、過負荷がかかったチャンネルから一つまたはそれ以上のリンクをアンダーロードされた（すなわち、さらに少なく負荷がかかった）チャンネルに伝達することによって、全体の負荷量の均衡を合せる。
【００２８】
一実施例において、アクセスポイント２１０は、過負荷がかかったチャンネル（例えば、チャンネル６）から一つのリンクを選択し、負荷がさらに少なくかかったチャンネル（例えば、チャンネル１）に選択されたリンクを伝達する。他の一実施例において、アクセスポイント２１０は、過負荷がかかったチャンネル（例えば、チャンネル６）から一つのリンクを選択し、新チャンネル（例えば、チャンネル１）のリンクと交換する。
【００２９】
一実施例において、アクセスポイント２１０は、選択されたリンクのＱｏＳ要求条件が新チャンネルで満足する場合に、選択されたリンクを新チャンネルに伝達するか、または新チャンネルのリンクと選択されたリンクとを交換する。他の一実施例において、アクセスポイント２１０は、新チャンネルのＲＳＳＩ値や新チャンネルのリンクのＲＳＳＩ値が旧リンクのＲＳＳＩ値以上であるか、または臨界ＲＳＳＩ値より大きい場合に、選択されたリンクを新チャンネルに伝達するか、または新チャンネルのリンクと選択されたリンクとを交換する。
【００３０】
図３は、アクセスポイント２１０の一例を示すブロック図である。一実施例において、アクセスポイント２１０は、制御モジュール２１２及びメモリ２１４を含む。メモリ２１４は、制御モジュール２１２とデータ通信を行う。一実施例において、メモリ２１４は、本発明の実施例による負荷調節を行うために、アクセスポイント２１０によって使われる情報を保存する。そのような情報には、係留中であるパケットの数、ＲＳＳＩ値及びＱｏＳレベルが含まれるが、しかし、このようなものにのみ制限されるものではない。
【００３１】
ＲＳＳＩ値は、アクセスポイント２１０や各ステーション２２０ないし２６０から受信されたパケットの信号強度に基づいて決定される。一実施例において、ＲＳＳＩ値は、各アクセスポイント２１０や各ステーション２２０ないし２６０で定義された受信信号の強度とＲＳＳＩ値との関係から得られる。例えば、あるアクセスポイントでは、“７０ｄＢ”の受信信号強度が“８０”のＲＳＳＩ値に指定されうる。他の例では、他のアクセスポイントやステーションで“７０ｄＢ”の受信信号強度が“１００”のＲＳＳＩ値に指定されうる。これは、例えば、テーブルルックアップアルゴリズムによって具現されうる。
【００３２】
ＱｏＳレベルは、一般的に、アクセスポイント２１０が受信するパケットのヘッダセクション部分に含まれている。前述したように、ＲＳＳＩ値は、受信されたパケットの信号強度に基づいて決定されうる。一実施例において、メモリ２１４は、ＲＡＭ（Ｒａｎｄｏｍ Ａｃｃｅｓｓ Ｍｅｍｏｒｙ）、ＰＲＯＭ（Ｐｒｏｇｒａｍｍａｂｌｅ Ｒｅａｄ Ｏｎｌｙ Ｍｅｍｏｒｙ）、フラッシュメモリ、ＥＥＰＲＯＭ（Ｅｌｅｃｔｒｉｃａｌｌｙ Ｅｒａｓａｂｌｅ ＰＲＯＭ）を含みうる。一実施例において、制御モジュール２１２は、ＩＥＥＥ ８０２.１１ａ／１１ｂ／１１ｇのような無線通信標準プロトコルでメモリ２１４とデータ通信を行う。他の一実施例において、制御モジュール２１２は、そのような情報を保存し、メモリなしにそのような情報に基づいて負荷調節を行える。
【００３３】
一実施例において、制御モジュール２１２は、図５に示された方法のような本発明の実施例による負荷調節方法を行うように構成またはプログラムされたプロセッサーを含みうる。プログラムは、実施例によって制御モジュール２１２またはメモリ２１４に保存されうる。制御モジュール２１２は、ペンティアム（登録商標）系列のようなＩｎｔｅｌ（登録商標）社系列のマイクロプロセッサー及びＷｉｎｄｏｗｓ（登録商標） ９５、Ｗｉｎｄｏｗｓ（登録商標） ９８、Ｗｉｎｄｏｗｓ（登録商標） ２０００、Ｗｉｎｄｏｗｓ（登録商標） ＮＴのようなマイクロソフト社のＷｉｎｄｏｗｓ（登録商標）運用体制に基盤した構成を有しうる。
【００３４】
他の一実施例において、制御モジュール２１２は、シングルチップまたはマルチチップマイクロプロセッサー、デジタルシグナルプロセッサー、エンベデッドマイクロプロセッサー、マイクロコントローラを使用した多様なコンピュータプラットホームによって具現される。他の一実施例において、制御モジュール２１２は、ユニックス、リナックス、マイクロソフトＤＯＳ、マイクロソフト（登録商標）ウィンドウズ（登録商標）２０００／９ｘ／ＭＥ／ＸＰ、マッキントッシュＯＳ、ＯＳ／２及びそれと類似した多様な範囲の運用体制によって具現される。
【００３５】
図４及び図５を参照して、制御モジュール２１２またはアクセスポイント２１０の作動がさらに詳細に説明される。図４は、本発明の一実施例による負荷調節を行うアクセスポイント２１０で使用する多様なパラメータ及び情報を示す例示図である。リンク番号１ないし５及びそれと関連したチャンネル番号１ないし６が図４に示されたが、これらは、図２に示されたものと同じである。一実施例において、５個のリンクと関連した各ステーション２２０ないし２６０は、各自の固有なＭＡＣアドレスを有しているが、ＭＡＣアドレスは、ＭＡＣ基盤のネットワークシステムでステーション２２０ないし２６０を識別する。
【００３６】
図４を参照すれば、情報は、キューサイズ（係留中であるパケットの数）、現在使用中である帯域幅、ＱｏＳレベル（優先順位）、そしてＲＳＳＩ値を含む。図４に示されたキューサイズ、ＱｏＳレベル、そしてＲＳＳＩ値の例は、ＩＥＥＥ ８０２.１１ａ、１１ｂ、または１１ｇから取られたものである。公知されているか、または将来に開発される他の標準では、同じ通信環境でもこれとは異なる値を有しうる。例えば、ＩＥＥＥ ８０２.１１ａ及び１１ｇは、最大帯域幅容量で５４Ｍｂｐｓまで支援でき、ＩＥＥＥ ８０２.１１ｂは、最大帯域幅容量で１１Ｍｂｐｓまで支援できる。
【００３７】
リンクに係留中であるパケットの数は、それぞれ１２２個、３４個、２３個、１２３個、及び２０個である。係留されるパケットの数が増加するほど、リンクでの負荷量も増加する。リンクで現在使用中である帯域幅は、それぞれ５、２、１、６、及び２Ｍｂｐｓである。図２及び図４に示されたように、リンク１及び２は、チャンネル１と関連され、リンク３ないし５は、チャンネル６と関連される。したがって、チャンネル１に現在使われている全体帯域幅は７Ｍｂｐｓ（５＋２）である。チャンネル６では、全体帯域幅として９Ｍｂｐｓ（１＋６＋２）が現在使われている。
【００３８】
リンクのＱｏＳレベルは、それぞれ１、０、２、３、及び２である。ＱｏＳは、ネットワークの伝送品質及びサービス有用性を反映するネットワーク実行の測度である。ＱｏＳは、伝送率が制限されているトラフィック政策の形態で決定されうるが、これにより、一定サイズの帯域幅がアプリケーション（伝送されるデータ）に保障されうる。前述したように、ＱｏＳ情報は、一般的に受信されたパケットのヘッダ部分に提供される。
【００３９】
ＱｏＳのレベルは、要請されるサービスの種類から決定される。ＩＥＥＥ ８０２.１Ｄは、８個の優先順位レベル（０ないし７）を指定しているが、０が最下位レベルであり、７が最上位レベルである。例えば、ビデオデータに最上位数が指定されうる。逆に、テキストデータやオーディオデータは、相対的に低い数が指定されうる。一実施例において、ステーションと関連されたあるチャンネルやリンクでのＱｏＳレベルを決定するために、平均時間遅延及び損失パケットの数という二つのパラメータが定義される。例えば、高いＱｏＳレベルは、相対的に小さな平均時間遅延（例えば、５ｍｍ秒）を有し、パケット損失が最小化されるか、またはないこと（例えば、１％未満の損失）を要求することが一般的である。一方、低いＱｏＳレベルは、一般的に、比較的大きい平均遅延時間（例えば、３０ｍｍ秒）及び相対的に大きいパケット損失（例えば、５％より大きいパケット損失）を許容する。
【００４０】
他の一実施例において、ＱｏＳレベルの要求条件は、プロファイルに基づいて決定される。プロファイルは、伝送される各アプリケーション（ビデオデータ、オーディオデータまたはファイル）に対して指定される。一実施例において、プロファイルは、帯域幅、損失パケットの数、そして平均時間遅延の３個のパラメータを有する。各パラメータを個別的に決定する代わりに、ＱｏＳ要求条件は、各アプリケーションに指定されたプロファイルを検査し、これに基づいて効率的に決定される。各プロファイルは、変更されるか、または更新されうる。
【００４１】
リンクのＲＳＳＩ値は、それぞれ８０、６７、９８、３４、そして４５である。ＲＳＳＩは、一般的に、地域局が遠隔ユニットからの伝送をどれくらいよく受信したかを表すが、典型的に、ｄＢｍ単位で測定される。ＲＳＳＩ値がさらに高いほど、伝送の実行はさらに信頼できる。図４に示されたＲＳＳＩ値の例は、ＩＥＥＥ ８０２.１１ａ、１１ｂ、または１１ｇから取ったものである。他の通信標準においては、ＲＳＳＩ値が異なる値を有しうる。そして、（あらかじめ設定された）臨界ＲＳＳＩ値も通信標準の種類によって変わりうる。すなわち、他の標準では、他の臨界ＲＳＳＩ値を有しうる。
【００４２】
一実施例において、制御モジュール２１２またはアクセスポイント２１０は、チャンネルの最大帯域幅容量を知っているが、これは、もし通信標準がチャンネルに対して決定されれば、最大帯域幅容量が自動的に決定されるためである。さらに、制御モジュール２１２またはアクセスポイント２１０は、例えば、係留中であるパケットの数に基づいて、現在チャンネルで使われる帯域幅値が得られる。
【００４３】
図５は、本発明の一実施例による負荷調節方法の例を表すフローチャートである。一実施例において、負荷調節方法は、Ｃ言語またはＣ＋＋言語、その他の類似したプログラミング言語のような伝統的なプログラミング言語で具現される。本発明の一実施例において、プログラムは、アクセスポイント２１０のコンピュータが利用できる保存媒体に保存される。一実施例において、もし、ネットワークシステムが無線スイッチ及びサーバを含むならば、プログラムが無線スイッチまたはサーバ上のコンピュータ用保存媒体に保存されることが可能である。他の一実施例においては、本発明による負荷調節を行える限り、プログラムは、システムの他の位置に保存されうる。保存媒体は、情報を保存するための多様なテクノロジーより構成されうる。一実施例において、保存媒体は、ＲＡＭ、ハードディスク、フロッピー（登録商標）ディスク、デジタルビデオ装置、コンパックディスク、ビデオディスク及び／または他の光学保存媒体より構成されうる。
【００４４】
図５を参照すれば、制御モジュール２１２またはアクセスポイント２１０は、全てのチャンネルの負荷量を計算する（４０２）。一実施例において、制御モジュール２１２またはアクセスポイント２１０は、チャンネルそれぞれに現在使われている帯域幅に基づいて負荷量を計算する。例えば、チャンネルの１の負荷量は７（５＋２）で計算され、チャンネル６の負荷量は９（１＋６＋２）で計算される。他の一実施例において、制御モジュール２１２またはアクセスポイント２１０は、チャンネルそれぞれに現在係留中である全体パケットの数に基づいて負荷量を計算する。例えば、チャンネル１の負荷量は１５６（１２２＋３４）で計算され、チャンネル６の負荷量は１６６（２３＋１２３＋２０）で計算される。便宜のために、以下では、計算された負荷量として各チャンネルで現在使われている帯域幅を指摘する。
【００４５】
一実施例において、アクセスポイント２１０のチャンネルそれぞれは、データ通信において、同じ通信標準を採用する。例えば、全てのチャンネル上の通信でＩＥＥＥ ８０２.１１ａ、１１ｂ、または１１ｇのうち一つが使用されうる。前述したように、８０２.１１ａ及び１１ｇは５４Ｍｂｐｓを支援し、８０２.１ｂは１１Ｍｂｐｓを支援できる。もし、図４でチャンネル１及びチャンネル６に使われた標準が同一であれば、チャンネル１及びチャンネル６の両側に対して最大チャンネル容量も同一である。したがって、もしチャンネル１にチャンネル６よりさらに大きい帯域幅が使われていれば、チャンネル１がチャンネル６より相対的に過負荷がかかったと決定される。このような状況では、チャンネル６は、チャンネル１よりアンダーロードされた、すなわち、相対的に負荷が少なくかかったと決定される。
【００４６】
他の一実施例において、アクセスポイント２１０のチャンネルそれぞれは、データ通信において他の通信標準を使用する。例えば、チャンネル１の通信では、ＩＥＥＥ ８０２.１１ｂが使われ、チャンネル６の通信においては、ＩＥＥＥ ８０２.１１ａまたは１１ｇが使用されうる。このような状況では、各チャンネルの全体負荷量の正規化された値に基づいて、チャンネルが過負荷がかかったか否か決定される。例えば、もしチャンネル１（８０２.１１ｂ使用）の全体負荷量が８Ｍｂｐｓであり、チャンネル６（８０２.１１ａ／１１ｇ使用）の全体負荷量が３４Ｍｂｐｓであれば、正規化された全体負荷量は、チャンネル１及びチャンネル６に対してそれぞれ８／１１（０.７３）及び３４／５４（０.６３）である。このような正規化された値からチャンネル１が相対的に過負荷がかかったものであり、チャンネル６が相対的に負荷が少なくかかったものと決定される。
【００４７】
制御モジュール２１２またはアクセスポイント２１０は、アクセスポイントが負荷の均衡を合せるためにチャンネルの負荷を減らす必要があるかを決定する（４０４）。図４を参照すれば、チャンネル１及びチャンネル６の計算された全体負荷量は、それぞれ７及び９である。したがって、一実施例において、制御モジュール２１２またはアクセスポイント２１０は、チャンネル６からチャンネル１に伝えられねばならない負荷量を決定する。もし、アクセスポイント２１０がチャンネルの負荷を減らす必要がないと決定された場合、４０２段階の手順が行われる。
【００４８】
４０４段階の手順で、アクセスポイント２１０がチャンネルの負荷を減らす必要があると決定されれば、制御モジュール２１２またはアクセスポイント２１０は、過負荷がかかったチャンネル（例えば、図４でのチャンネル６）で一つのリンクを選択する（４０６）。一実施例において、制御モジュール２１２またはアクセスポイント２１０は、過負荷がかかったチャンネルから最も少ない負荷がかかったリンクを選択する（１Ｍｂｐｓの負荷がかかったリンク３）。他の一実施例において、制御モジュール２１２またはアクセスポイント２１０は、負荷が多くかかったリンク（例えば、図４でのリンク４）を先に選択するか、または負荷が少なくかかったリンク（例えば、図４でのリンク３またはリンク５）を先に選択する。
【００４９】
制御モジュール２１２またはアクセスポイント２１０は、この選択されたリンクが新チャンネル（チャンネル１）で要求されるＱｏＳを満足しつつ提供されるか否かを決定する（４０８）。前述したように、二つのパラメータ（平均時間遅延、パケットの損失）が要求されるＱｏＳを満足するか否かを決定するために一般的に使われる。制御モジュール２１２またはアクセスポイント２１０は、選択されたリンクが新チャンネルに伝えられれば、新チャンネルから要求されるＱｏＳを満足しつつ資源が利用可能であるか否かを２つのパラメータに基づいて検査する。一実施例において、制御モジュール２１２またはアクセスポイント２１０は、新チャンネルから選択されたリンクのＱｏＳレベルを満足するか否かを決定する。
【００５０】
例えば、もし選択されたリンクに要求されるＱｏＳレベルを支援するリンクが新チャンネルに存在すれば、制御モジュール２１２またはアクセスポイント２１０は、新チャンネルのリンクがＱｏＳ要求条件を満足すると決定する。もし、４０８段階の手順で、選択されたリンクが要求されるＱｏＳレベルでサービスされないと決定されれば、制御モジュール２１２またはアクセスポイント２１０は、４０６段階に戻って他のリンクを選択する。
【００５１】
制御モジュール２１２またはアクセスポイント２１０は、この選択されたリンク（リンク３）の伝達が負荷の不均衡をもたらすか否かを決定する（４１０）。例えば、もしリンク３（負荷量が１Ｍｂｐｓ）が選択されてチャンネル１に伝えられると仮定すれば、伝達後に両側チャンネルの全体負荷量が同じであるので（８Ｍｂｐｓ）、このような伝達は、負荷の不均衡をもたらさないと決定される。もしチャンネル４またはチャンネル５が選択されてチャンネル６からチャンネル１に伝えられると仮定すれば、伝達後の各チャンネルの全体負荷量が１３：３または９：７（チャンネル１：チャンネル６）となるので、このような伝達は、負荷の不均衡をもたらすと決定される。
【００５２】
もし４１０段階で選択されたリンクの伝達が負荷の不均衡をもたらさないと決定されれば、制御モジュール２１２またはアクセスポイント２１０は、新チャンネル（チャンネル１）のＲＳＳＩ値を検査するか、または新チャンネルの利用可能なリンクのＲＳＳＩ値を検査する（４１４）。前述したように、ＲＳＳＩ値は、受信されたパケットのヘッダ情報（プリアンブル）部分から得られる。したがって、ＲＳＳＩ値を表す負荷情報は、例えば、パケット単位で更新されうる。一実施例において、制御モジュール２１２またはアクセスポイント２１０は、新ＲＳＳＩ値（チャンネル１のＲＳＳＩ値またはチャンネル１で利用可能なリンクのＲＳＳＩ値）が旧チャンネル（チャンネル６）での選択されたリンクのＲＳＳＩ値より大きいか、または同一であるかを決定する（４１６）。もしリンク３が伝えられるために選択されたとすれば、新ＲＳＳＩ値は、チャンネル６のリンク３のＲＳＳＩ値９８より大きいか、または同一である必要がある。他の一実施例において、制御モジュール２１２またはアクセスポイント２１０は、新ＲＳＳＩ値が臨界ＲＳＳＩ値より大きいかを決定する。一実施例において、もし通信標準が変更されれば、臨界ＲＳＳＩ値も変更される。
【００５３】
一実施例において、４１６段階で新ＲＳＳＩ値が旧ＲＳＳＩ値以上であるか、または臨界ＲＳＳＩ値より大きいと決定されれば、選択されたリンクは、旧チャンネル（チャンネル６）で新チャンネル（チャンネル１）に伝えられる（４１８）。一実施例において、制御モジュール２１２またはアクセスポイント２１０は、選択されたリンクと連結されたステーションが新チャンネルに移動するということを知らせる分離メッセージを伝送し、連結されたステーションが全ての資源を解除し、負荷がさらに少なくかかったチャンネルに移動可能にする。リンクの伝達後に、新チャンネル（チャンネル１）は、３個のリンクを有し、旧チャンネル（チャンネル６）は、２個のリンクを有する。他の一実施例において、制御モジュール２１２またはアクセスポイント２１０は、連結されたステーションに、このような交換がアクセスポイント２１０での負荷の均衡を提供できれば、旧チャンネルの選択されたリンクが新チャンネルの一つのリンクと交換されるということを知らせる。
【００５４】
もし、４１０段階で選択されたリンクの伝達が負荷の不均衡をもたらすと決定されれば、制御モジュール２１２またはアクセスポイント２１０は、負荷が新チャンネルから旧チャンネルに移動可能になるか否かを決定する（４１２）。チャンネル１は、リンク１及びリンク２（各リンクの負荷は、それぞれ４及び１と仮定する）を含み、チャンネル６は、リンク３ないしリンク５（各リンクの負荷は、それぞれ２、３、及び４と仮定する）を含むと仮定する。もしリンク４（負荷：３）がチャンネル６からチャンネル１に伝えられるために選択されれば、伝達後のチャンネル１の全体負荷は８（４＋１＋３）であり、チャンネル６の全体負荷は６（２＋４）である。したがって、このような伝達は、負荷の不均衡をもたらすが、これは、チャンネル１が全体負荷量８を有し、チャンネル６が全体負荷量６を有するためである。このような状況で、制御モジュール２１２またはアクセスポイント２１０は、最初の伝達後に新チャンネル（チャンネル１）から旧チャンネル（チャンネル６）に負荷が移動可能になるか否かを決定する。チャンネル１のリンク２（負荷：１）がチャンネル６に伝えられうるので、制御モジュール２１２またはアクセスポイント２１０は、４０８段階を行う。もし４１２段階で負荷が新チャンネルから旧チャンネルに伝えられないと決定されれば、選択されたリンクは、旧チャンネルから新チャンネルに移されなくなる（４２０）。
【００５５】
図６は、本発明の他の一実施例による負荷調節システム７００を示す図面である。一実施例において、アクセスポイント７１０は、他の伝統的な通信ネットワークシステム（図示せず）とデータ通信をする。本発明の一実施例において、システム７００は、ＷＬＡＮ、ＷＰＡＮ、ＧＰＲＳネットワーク、ＧＳＭネットワーク、ＣＤＭＡネットワーク、ブルートゥースネットワークまたは他の無線ネットワークと共に具現されるか、または統合される。本発明の一実施例において、システム７００の内部でのデータ通信及び他の通信ネットワークとのデータ通信は、ＩＥＥＥ ８０２.１１ａ／１１ｂ／１１ｇまたはＩＥＥＥ ８０２.１５.３／１５.３ａまたは他の無線通信標準によって行われる。
【００５６】
一実施例において、アクセスポイント７１０は、図６に示されたように、３個の他のチャンネル（チャンネル１、３、６）を取扱う。過負荷の決定及び伝達の実行方法は、図２に示されたシステムの実行方法と全般的にほぼ同じである。
一実施例において、チャンネル１は、それぞれ２及び３Ｍｂｐｓの帯域幅を使用しているリンク１及びリンク２を含む。チャンネル３は、それぞれ３及び４Ｍｂｐｓの帯域幅を使用しているリンク３及びリンク４を含む。チャンネル６は、それぞれ２、４、及び３Ｍｂｐｓの帯域幅を使用しているリンク５ないし７を含む。一実施例において、アクセスポイント７１０は、チャンネル６が他のチャンネルに比較して相対的に過負荷がかかったことを決定する。一実施例において、アクセスポイント７１０は、チャンネル６で最も少なく負荷がかかったリンク５を選択し、新ＲＳＳＩ値が旧ＲＳＳＩ値以上であるか、または（所定の）臨界ＲＳＳＩ値より大きく、選択されたリンクでのＱｏＳ要求条件がチャンネル１で満足することを確認した後、この選択されたリンクを相対的に負荷が少なくかかったチャンネル１に伝達する。このような動作は、アクセスポイント７１０のチャンネルで全体負荷（７，７，７）の均衡をなすようにする。
【００５７】
本発明は、コンピュータ（情報処理機能を有する装置をいずれも含み、特に、ユーザ端末機を含む）可読記録媒体にコンピュータ可読コードとして具現することが可能である。コンピュータ可読記録媒体は、コンピュータシステムによって読取られるデータが保存される全ての種類の記録装置を含む。コンピュータ可読記録媒体の例としては、ＲＯＭ、ＲＡＭ、フラッシュメモリ、磁気保存媒体（フロッピー（登録商標）ディスク、ハードディスク、磁気テープなど）、光データ保存媒体（ＣＤ−ＲＯＭ、ＤＶＤなど）及びキャリアウェーブ（インターネットを通じた伝送など）がある。
【００５８】
たとえ、前記説明が多様な実施例に適用される本発明の新規な特徴に焦点を合せて説明されたとしても、当業者は、本発明の範囲を逸脱せずとも前記説明された装置及び方法の形態及び細部事項で多様な削除、代替、及び変更が可能であることが分かる。したがって、本発明の範囲は、前記説明より特許請求の範囲によって定義される。特許請求の範囲の均等範囲内の全ての変形は、本発明の範囲に含まれる。
【産業上の利用可能性】
【００５９】
本発明は、無線通信システムの負荷調節方法及びシステムに具現可能である。
【図面の簡単な説明】
【００６０】
【図１】全体システムの負荷調節を行う典型的な無線ネットワークシステムを示す図面である。
【図２】本発明の一実施例による負荷調節システムを示す図面である。
【図３】本発明の一実施例によるアクセスポイントの例を示すブロック図である。
【図４】本発明の一実施例による負荷調節を行うアクセスポイントで使用する多様なパタメータ及び情報を示す図面である。
【図５】本発明の一実施例による負荷調節方法の例を示すフローチャートである。
【図６】本発明の他の一実施例による負荷調節システムを示す図面である。
【符号の説明】
【００６１】
１００    システム
１１０    外部（管理）サーバ
１２０    無線スイッチ/ハブ
１３０、１４０、１５０、２１０    アクセスポイント
２１２    制御モジュール
２１４    メモリ
１３２、１３４、１４２、１４４、１５２、１５４    ステーション
【図１】
2005278186.tif 000003
【図２】
2005278186.tif 000004
【図３】
2005278186.tif 000005
【図４】
2005278186.tif 000006
【図５】
2005278186.tif 000007
【図６】
2005278186.tif 000008